(57)【要約】【課題】簡易に適切な拡声利得が得られ、かつ信号レベル調整の際の操作性を向上することが可能な音響調整装置を提供すること。【解決手段】入力された音声信号の信号レベルを調整するフェーダと１０１、フェーダ１０１の操作子を移動させる操作子駆動部１０４と、フェーダ１０１の操作子の位置である操作子位置を検出する操作子位置検出部１０２と、操作子位置検出部１０２によって検出された操作子位置を記憶する操作子位置メモリ１０５と、ハウリングの発生が抑制される所定の操作子位置を操作子位置の上限値として記憶する上限メモリ１０６と、上限メモリ１０６に操作子位置の上限値を記憶させる指示の信号を生成する上限記憶スイッチ１０７と、操作子位置メモリ１０５に記憶された操作子位置および上限メモリ１０６に記憶された操作子位置の上限値に応じて操作子駆動部１０４を制御する制御部１０３とを備えた構成を有している。【選択図】  図１
2004312539.tif 000002
【特許請求の範囲】
【請求項１】
入力された音声信号の信号レベルを調整するフェーダと、前記フェーダの操作子を移動させる操作子駆動部と、前記フェーダの操作子の位置である操作子位置を検出する操作子位置検出部と、前記操作子位置検出部によって検出された前記操作子位置を記憶する操作子位置メモリと、ハウリングの発生が抑制される所定の操作子位置を前記操作子位置の上限値として記憶する上限メモリと、前記上限メモリに前記操作子位置の上限値を記憶させる指示の信号を生成する上限記憶スイッチと、前記操作子位置メモリに記憶された操作子位置および前記上限メモリに記憶された前記操作子位置の上限値に応じて前記操作子駆動部を制御する制御部とを備えた音響調整装置。
【請求項２】
前記上限メモリは前記操作子位置の上限値を記憶する複数のメモリからなり、前記複数のメモリのいずれかを選択して前記制御部に接続する選択スイッチを備え、前記制御部は、前記選択スイッチによって選択されたメモリに記憶された上限値および前記操作子位置メモリに記憶された操作子位置に応じて前記操作子駆動部を制御することを特徴とする請求項１に記載の音響調整装置。
【請求項３】
所定の警告内容を表示する警告表示部を備え、前記操作子位置検出部は、前記入力された音声信号の信号レベルである入力信号レベルを検出し、前記操作位置メモリは、前記操作子位置検出部によって検出された入力信号レベルを記憶し、前記上限メモリは、前記入力信号レベルの上限値を記憶し、前記制御部は、前記操作位置メモリに記憶された前記入力信号レベルが前記上限メモリに記憶された前記入力信号レベルの上限値を超えた場合に前記警告表示部に前記警告内容を表示することを特徴とする請求項１に記載の音響調整装置。
【請求項４】
前記制御部によって行われる前記操作子駆動部の制御を解除するための解除スイッチを備えたことを特徴とする請求項１ないし請求項３のいずれかに記載の音響調整装置。
【請求項５】
前記上限メモリに記憶された上限操作子位置の値を変更するための外部制御部を備えたことを特徴とする請求項１ないし請求項３のいずれかに記載の音響調整装置。
【発明の詳細な説明】
【０００１】
【発明の属する技術分野】
本発明は、オーディオ信号の信号レベルを調整する音響調整装置に関する。
【０００２】
【従来の技術】
従来、図６に示す構成の音響調整装置が知られている。図６に示す音響調整装置は、入力された音声信号の信号レベルを所定の値に調整する音量調整器１１と、音量調整器１１が調整して得るべき信号レベルを音量調整器１１に設けられた操作子を機械的に固定することによって設定する固定装置１２とを含むように構成される。ここで、所定の信号レベルの値とは、例えば、ハウリングを生じず、安定した音声の拡声等を可能とする所定の値を意味する。
【０００３】
以上のように構成された音響調整装置について、以下にその動作を説明する。
音量調整器１１は、入力された音声信号の信号レベルを固定装置１２の設定量に応じて変化させて出力する。ここで、所定の音場を得るための適正な拡声利得の情報が予め得られており、ハウリングの発生を抑制できる信号レベルとなるように固定装置１２によって上記の操作子を固定し、操作者はハウリングを抑制できる信号レベルを目安として適正な拡声を行うものであった。
【０００４】
また、図７に示す構成の音響調整装置も知られている（特許文献１参照）。図７に示す音響調整装置は、入力された音声信号の信号レベルを所定の信号レベルに調整し、調整後の音声信号を出力するフェーダ２１、フェーダ２１の操作子の位置を検出するＡＤ変換器２２、検出された操作子の位置に応じてモータドライバ２４を制御する制御回路２３、フェーダ２１の操作子を動かして信号レベルを変えるモータドライバ２４、およびフェーダ２１の操作子の位置に応じた信号レベルを記憶するフェーダ位置メモリ２５を含むように構成される。
【０００５】
以上のように構成された音響調整装置について、以下にその動作を説明する。
フェーダ２１は入力された音声信号をＡＤ変換器２２に出力し、ＡＤ変換器２２は音声信号の信号レベルを示すアナログ信号をデジタル信号に変換し、制御回路２３はＡＤ変換器２２から出力されたデジタル信号に基づいて音声信号の信号レベルがフェーダ位置メモリ２５に記憶されている信号レベルより大きい場合、所定の制御信号をモータドライバ２４に出力する。モータドライバ２４は、フェーダ位置メモリ２５に記憶された信号レベルに近づけるようにフェーダ２１を制御し、適正な拡声を行うものであった。
【０００６】
【特許文献１】
特開平７−１２２９４９号公報
【０００７】
【発明が解決しようとする課題】
しかし、このような従来の音響調整装置では、適正な拡声を得るため音声利得を上げるとハウリング発生までのマージンが不足するということを考慮して信号レベルを調整しているので、入力された信号の信号レベルが想定していたものより低い場合でもハウリングを防止する制御を行っているために十分な拡声が得られないという問題があった。
【０００８】
また、無理に信号レベルを高くした場合には、不意にハウリング等を発生させることがあり、最悪の場合はスピーカ等の機器の破損につながるという問題もあった。
【０００９】
さらに、一般にハウリングを生じる信号レベルは設備の設置環境によりある程度決められるので、ハウリング発生直前の信号レベルを求め、その調整位置を危険な信号レベルとして示し、適切な信号レベルと共に物理的に示すことも可能であるが、その場合でも、誤操作によって機器を破損させてしまう危険が解消できないという問題があった。
【００１０】
本発明はこのような問題を解決するためになされたもので、簡易に適切な拡声利得が得られ、かつ信号レベル調整の際の操作性を向上することが可能な音響調整装置を提供するものである。
【００１１】
【課題を解決するための手段】
本発明の音響調整装置は、入力された音声信号の信号レベルを調整するフェーダと、前記フェーダの操作子を移動させる操作子駆動部と、前記フェーダの操作子の位置である操作子位置を検出する操作子位置検出部と、前記操作子位置検出部によって検出された前記操作子位置を記憶する操作子位置メモリと、ハウリングの発生が抑制される所定の操作子位置を前記操作子位置の上限値として記憶する上限メモリと、前記上限メモリに前記操作子位置の上限値を記憶させる指示の信号を生成する上限記憶スイッチと、前記操作子位置メモリに記憶された操作子位置および前記上限メモリに記憶された前記操作子位置の上限値に応じて前記操作子駆動部を制御する制御部とを備えた構成を有している。
この構成により、上限メモリと上限記憶スイッチとを設け、フェーダの操作子の上限位置をスイッチの押下によって記憶し、ハウリングがなく安定した音声信号の出力が可能な拡声利得の設定を行うことができるため、簡易に適切な拡声利得を得ることが可能な音響調整装置を実現することができる。
また、フェーダの操作子の上限位置を予め記憶しておき、随時検出される操作子の位置をこの上限位置と比較して操作子の位置が一定範囲内に入っているように制御するため、ハウリングが生じたりする等の不適切な位置にフェーダの操作子の位置が設定されている場合でも、ハウリングがなく安定した音声信号の出力が可能な操作子の位置に変えることができるため、信号レベル調整の際の操作性を向上することができる。
【００１２】
また、本発明の音響調整装置は、前記上限メモリは前記操作子位置の上限値を記憶する複数のメモリからなり、前記複数のメモリのいずれかを選択して前記制御部に接続する選択スイッチを備え、前記制御部は、前記選択スイッチによって選択されたメモリに記憶された上限値および前記操作子位置メモリに記憶された操作子位置に応じて前記操作子駆動部を制御する構成を有している。
この構成により、上限操作子位置を複数記憶し、切り替えて制御に用いることができるため、音場や環境に合わせた上限操作子位置を選択することが可能な音響調整装置を実現することができる。
【００１３】
また、本発明の音響調整装置は、所定の警告内容を表示する警告表示部を備え、前記操作子位置検出部は、前記入力された音声信号の信号レベルである入力信号レベルを検出し、前記操作位置メモリは、前記操作子位置検出部によって検出された入力信号レベルを記憶し、前記上限メモリは、前記入力信号レベルの上限値を記憶し、前記制御部は、前記操作位置メモリに記憶された前記入力信号レベルが前記上限メモリに記憶された前記入力信号レベルの上限値を超えた場合に前記警告表示部に前記警告内容を表示する構成を有している。
この構成により、警告表示部を設けて入力された音声信号の信号レベルが、上限信号レベルを超えたことを警告できるため、誤操作をした場合に視認することが可能な音響調整装置を実現することができる。
【００１４】
また、本発明の音響調整装置は、入力された音声信号の信号レベルを調整するフェーダと、前記フェーダの操作子を移動させる操作子駆動部と、前記フェーダの操作子の位置である操作子位置を検出する操作子位置検出部と、前記操作子位置検出部によって検出された前記操作子位置を記憶する操作子位置メモリと、ハウリングの発生が抑制される所定の操作子位置を前記操作子位置の上限値として記憶する上限メモリと、前記上限メモリに前記操作子位置の上限値を記憶させる指示の信号を生成する上限記憶スイッチと、前記操作子位置メモリに記憶された操作子位置および前記上限メモリに記憶された前記操作子位置の上限値に応じて前記操作子駆動部を制御する制御部と、前記制御部によって行われる前記操作子駆動部の制御を解除するための解除スイッチを備えた構成を有している。
この構成により、解除スイッチを設けて制御部が行う制御動作を解除できるため、例えば緊急を要する場合等において、操作者が手動で操作することが可能な音響調整装置を実現することができる。
【００１５】
また、本発明の音響調整装置は、入力された音声信号の信号レベルを調整するフェーダと、前記フェーダの操作子を移動させる操作子駆動部と、前記フェーダの操作子の位置である操作子位置を検出する操作子位置検出部と、前記操作子位置検出部によって検出された前記操作子位置を記憶する操作子位置メモリと、ハウリングの発生が抑制される所定の操作子位置を前記操作子位置の上限値として記憶する上限メモリと、前記上限メモリに前記操作子位置の上限値を記憶させる指示の信号を生成する上限記憶スイッチと、前記操作子位置メモリに記憶された操作子位置および前記上限メモリに記憶された前記操作子位置の上限値に応じて前記操作子駆動部を制御する制御部と、前記上限メモリに記憶された上限操作子位置の値を変更するための外部制御部を備えた構成を有している。
この構成により、外部制御部を設けて上限操作子位置を外部から設定できるため、遠隔操作を可能とし、音響調整装置から離れた位置で拡声音を確認しながら、信号レベルの上限値を設定することが可能な音響調整装置を実現することができる。
【００１６】
【発明の実施の形態】
以下、本発明の実施の形態について、図面を用いて説明する。
（第１の実施の形態）
図１は、本発明の第１の実施の形態に係る音響調整装置のブロック構成を示す図である。図１において、音響調整装置１００は、入力された音声信号（以下、単に「入力音声信号」という。）の信号レベルを、操作子を介して設定された信号レベルに調整し、調整後の音声信号を出力するフェーダ１０１、フェーダ１０１の操作子の位置（以下、単に「操作子位置」という。）を検出する操作子位置検出部１０２、検出された操作子位置に応じて操作子駆動部１０４を制御する制御部１０３、フェーダ１０１の操作子を動かして信号レベルを変える操作子駆動部１０４、操作子位置を記憶する操作子位置メモリ１０５、ハウリングの発生を抑制し安定して音声信号を出力できるフェーダ１０１の操作子の上限位置（以下、単に「上限操作子位置」という。）を記憶する上限メモリ１０６、および上限メモリ１０６に上限操作子位置を記憶させるための上限記憶スイッチ１０７を含むように構成される。
【００１７】
ここで、フェーダ１０１から出力される音声信号は操作子位置に応じて変化し、「操作子位置が高い」という場合はフェーダ１０１から出力される音声信号の信号レベルが高い側の操作子位置のことをいい、「操作子位置が低い」という場合はフェーダ１０１から出力される音声信号の信号レベルが低い側の操作子位置のことをいうものとする。また、操作子位置を「上げる」又は「下げる」とは、それぞれ、音声信号の信号レベルを「上げる」ような又は「下げる」ような方向に操作子位置を変化させることをいうものとする。また、フェーダ１０１からはアナログ信号が操作子位置検出部１０２に出力されるものとする。
【００１８】
操作子位置検出部１０２は、フェーダ１０１の入力音声信号とフェーダ１０１から出力される音声信号との信号レベル差に基づいて操作子位置を検出するのでも、フェーダ１０１から出力される操作子位置についての信号に基づいて操作子位置を検出するのでも、その他の方法でもよい。また、操作子位置検出部１０２は、フェーダ１０１から出力されたアナログ信号に基づいて検出した操作子位置に応じた信号を制御部１０３に出力するようになっている。操作子位置検出部１０２は、フェーダ１０１から出力されるアナログ信号をデジタル信号に変換するＡ／Ｄ変換器等によって構成されるのでもよい。
【００１９】
制御部１０３は、操作子位置メモリ１０５と上限メモリ１０６に記憶された情報に基づいて操作子駆動部１０４を制御するための制御信号を生成すると共に、操作子位置検出部１０２または上限記憶スイッチ１０７からの入力に応じて操作子位置メモリ１０５又は上限メモリ１０６に所定のデータを記憶させる動作を行うようになっている。
【００２０】
操作子駆動部１０４は、制御部１０３の制御の下、フェーダ１０１の操作子を動かすようになっている。これにより、フェーダ１０１から出力される音声信号の信号レベルは変更される。操作子駆動部１０４は、例えば、フェーダ１０１を動かすモータとそのモータを駆動するモータドライバとを含むように構成されるのでもよい。
制御部１０３経由で入力された操作子位置は、操作子位置メモリ１０５に記憶されるようになっている。
【００２１】
上限メモリ１０６に記憶される上記操作子の上限位置は、予め設定されているものとし、設定される値としては、装置の配置等を考慮したシミュレーションや実験によって得られたものを用いるのでもよい。
上限記憶スイッチ１０７は、上限メモリ１０６にフェーダ１０１の操作子の上限位置を記憶させる際に押下されるスイッチであり、押下される都度、スイッチ「オン」を示す信号（以下、単に「スイッチオン信号」という。）を出力するようになっている。
【００２２】
以下、本発明の第１の実施の形態に係る音響調整装置１００の動作について説明する。
はじめに、フェーダ１０１の上限操作子位置を上限メモリ１０６に記憶させる際の動作について説明する。まず、操作者が上限記憶スイッチ１０７を押下することにより、上限記憶スイッチ１０７からスイッチオン信号が制御部１０３に出力される。制御部１０３がスイッチオン信号を検知する都度、操作子位置検出部１０２から出力された信号に基づいて操作子位置が検出され、操作子位置が上限メモリ１０６に記憶させる。これにより、上限記憶スイッチ１０７のスイッチが押されたときの操作子位置をハウリングがなく安定して音声を出力できる上限操作子位置として予め上限メモリ１０６に設定しておくことができる。
【００２３】
次に、音響調整装置１００の通常使用時の動作について説明する。
フェーダ１０１の操作子位置が操作子位置検出部１０２によって検出され、制御部１０３を介して操作子位置メモリ１０５に記憶される。操作子位置メモリ１０５に記憶された操作子位置は、上限メモリ１０６に記憶された上限操作子位置と比較され、操作子位置メモリ１０５に記憶された操作子位置が上限メモリ１０６に記憶された上限操作子位置を超えたとき、制御部１０３から操作子駆動部１０４に制御信号が出力され、操作子駆動部１０４を介してフェーダ１０１の操作子位置が下げられる。操作子位置を下げる動作が継続し、操作子位置が上限操作子位置以下になったら操作子位置を下げる動作は終了する。
【００２４】
以上説明したように、本発明の第１の実施の形態に係る音響調整装置は、上限メモリと上限記憶スイッチとを設け、フェーダの操作子の上限位置をスイッチの押下によって記憶し、ハウリングがなく安定した音声信号の出力が可能な拡声利得の設定を行うことができるため、簡易に適切な拡声利得を得ることができる。
【００２５】
また、フェーダ１０１の操作子の上限位置を予め記憶しておき、随時検出される操作子の位置をこの上限位置と比較して操作子の位置が一定範囲内に入っているように制御するため、ハウリングが生じたりする等の不適切な位置にフェーダの操作子の位置が設定されている場合でも、ハウリングがなく安定した音声信号の出力が可能な操作子の位置に変えることができるため、信号レベル調整の際の操作性を向上することができる。
【００２６】
（第２の実施の形態）
図２は、本発明の第２の実施の形態に係る音響調整装置のブロック構成を示す図である。図２において、音響調整装置２００は、本発明の第１の実施の形態に係る音響調整装置１００に、上限メモリおよび選択スイッチ２０９を付加した構成となっている。図２では、付加されて複数になった上限メモリを、上限メモリＡ２０６と上限メモリＢ２０８として示す。本発明の第２の実施の形態に係る音響調整装置２００の構成部うち、本発明の第１の実施の形態に係る音響調整装置１００と同一の機能を有するものには同一の番号を付し、その説明を省略する。
【００２７】
選択スイッチ２０９は、上限メモリＡ２０６または上限メモリＢ２０８のいずれかを選択する際に切り替えるスイッチであり、上限メモリＡ２０６または上限メモリＢ２０８のいずれかを指定する信号（以下、単に「切替信号」という。）を生成し、制御部２０３に出力するようになっている。制御部２０３は、選択スイッチ２０９から切替信号が入力されると、切替信号によって指定された上限メモリを選択して接続する機能を、本発明の第１の実施の形態の制御部１０３の機能に加えて付加されている。
【００２８】
以下、本発明の第２の実施の形態に係る音響調整装置２００の動作について説明する。
はじめに、フェーダ１０１の上限操作子位置を上限メモリＡ２０６または上限メモリＢ２０８に記憶させる際の動作について説明する。まず、操作者が選択スイッチ２０９を切り替えて上限メモリＡ２０６または上限メモリＢ２０８を選択し、上限記憶スイッチ１０７を押下することにより、上限記憶スイッチ１０７からスイッチオン信号が制御部１０３に出力される。制御部１０３がスイッチオン信号を検知する都度、操作子位置検出部１０２から出力された信号に基づいて操作子位置が検出され、操作子位置が選択スイッチ２０９を介して選択された上限メモリＡ２０６または上限メモリＢ２０８に記憶させる。
【００２９】
これにより、上限記憶スイッチ１０７のスイッチが押されたときの操作子位置を、選択スイッチ２０９を介して選択された上限メモリＡ２０６または上限メモリＢ２０８に、ハウリングがなく安定して音声を出力できる上限操作子位置として予め上限メモリ１０６に設定しておくことができる。したがって、設定したい音場毎の上限操作子位置を記憶させることができる。また、上記では上限メモリを２つとした場合について説明したが、３つ以上の接続可能な数とするのでもよい。その際の構成は明らかであり、その説明を省略する。
【００３０】
次に、音響調整装置２００の通常使用時の動作について説明する。
初めに、選択スイッチ２０９が操作者によって操作され、上限メモリＡ２０６または上限メモリＢ２０８のいずれかが選択される。そして、フェーダ１０１の操作子位置が操作子位置検出部１０２によって検出され、制御部１０３を介して操作子位置メモリ１０５に記憶される。操作子位置メモリ１０５に記憶された操作子位置は、上限メモリＡ２０６または上限メモリＢ２０８のうち選択されたもの（以下、単に「選択上限メモリ」という。）に記憶された上限操作子位置と比較され、操作子位置メモリ１０５に記憶された操作子位置が上限メモリ２０６、２０８に記憶された上限操作子位置を超えたとき、制御部１０３から操作子駆動部１０４に制御信号が出力され、操作子駆動部１０４を介してフェーダ１０１の操作子位置が下げられる。操作子位置を下げる動作が継続し、操作子位置が上限操作子位置以下になったら操作子位置を下げる動作は終了する。
【００３１】
以上説明したように、本発明の第２の実施の形態に係る音響調整装置は、本発明の第１の実施の形態の効果に加え、上限操作子位置を複数記憶し、切り替えて制御に用いることができるため、音場や環境に合わせた上限操作子位置を選択することができる。
【００３２】
なお、上記上限メモリＡ２０６と上限メモリＢ２０８とを別個のメモリとして表したが、これらを１つのメモリで構成し、上限メモリＡ２０６と上限メモリＢ２０８とに記憶させた情報を１つのメモリの複数のメモリ領域に記憶させるようにし、選択スイッチを介していずれかのメモリ領域を選択するのでも同様の効果が得られる。
【００３３】
（第３の実施の形態）
図３は、本発明の第３の実施の形態に係る音響調整装置のブロック構成を示す図である。図３において、音響調整装置３００は、本発明の第１の実施の形態に係る音響調整装置１００に、警告表示部３０８を付加した構成となっている。本発明の第３の実施の形態に係る音響調整装置３００の構成部うち、本発明の第１の実施の形態に係る音響調整装置１００と同一の機能を有するものには同一の番号を付し、その説明を省略する。
【００３４】
ここで、操作子位置検出部１０２は、操作子位置に関する情報のほかに、音響調整装置３００に入力された音声信号の信号レベルをも制御部３０３に出力するものとする。また、上限メモリ１０６は、上限操作子位置の上限値のほかに、音響調整装置３００に入力された音声信号の上限信号レベルを記憶しているものとする。
【００３５】
警告表示部３０８は、制御部３０３の制御の下に所定の出力を行うようになっている。ここで、所定の出力とは、視認可能に文字や絵等によって表示するのでも、ランプを点滅させる等でもよい。
【００３６】
制御部３０３は、本発明の第１の実施の形態に係るの音響調整装置１００を構成する制御部１０３の機能に加え、音響調整装置３００に入力された音声信号の信号レベルが上限メモリ１０６に記憶された上限信号レベルを超えた場合に、警告表示部３０８に上記の表示等を行わせるための制御信号を生成する機能をも有するものである。
【００３７】
以下、本発明の第３の実施の形態に係る音響調整装置３００の動作について説明する。
はじめに、フェーダ１０１の上限操作子位置および上限信号レベルを上限メモリ１０６に記憶させる際の動作について説明する。まず、操作者が上限記憶スイッチ１０７を押下することにより、上限記憶スイッチ１０７からスイッチオン信号が制御部３０３に出力される。制御部３０３がスイッチオン信号を検知する都度、操作子位置検出部１０２から出力された信号に基づいて操作子位置および上限信号レベルが検出され、操作子位置が上限メモリ１０６に記憶させる。これにより、上限記憶スイッチ１０７のスイッチが押されたときの操作子位置および信号レベルをハウリングがなく安定して音声を出力できる上限操作子位置および上限信号レベルとして予め上限メモリ１０６に設定しておくことができる。
【００３８】
次に、音響調整装置３００の通常使用時の動作について説明する。
まず、フェーダ１０１の操作子位置および信号レベルが操作子位置検出部１０２によって検出され、制御部３０３を介して操作子位置メモリ１０５に記憶される。操作子位置メモリ１０５に記憶された操作子位置および信号レベルは、それぞれ、上限メモリ１０６に記憶された上限操作子位置および上限信号レベルと比較され、操作子位置メモリ１０５に記憶された操作子位置または信号レベルが、それぞれ上限メモリ１０６に記憶された上限操作子位置または上限信号レベルを超えたとき、制御部３０３から操作子駆動部１０４およびに警告表示部３０８に制御信号が出力される。制御部３０３からの制御信号が操作子駆動部１０４および警告表示部３０８に出力されると、フェーダ１０１の操作子位置が操作子駆動部１０４によって下げられると共に、所定の表示等の視認可能な出力が警告表示部３０８によってなされる。操作子位置を下げる動作が継続し、操作子位置が上限操作子位置以下になったら操作子位置を下げる動作は終了する。
【００３９】
以上説明したように、本発明の第３の実施の形態に係る音響調整装置は、本発明の第１の実施の形態の効果に加え、警告表示部を設けて操作子位置または入力された音声信号の信号レベルのいずれかが、それぞれ上限操作子位置または上限信号レベルを超えたことを警告できるため、誤操作をした場合に視認することができる。
【００４０】
（第４の実施の形態）
図４は、本発明の第４の実施の形態に係る音響調整装置のブロック構成を示す図である。図４において、音響調整装置４００は、本発明の第１の実施の形態に係る音響調整装置１００に、解除スイッチ４０８を付加した構成となっている。本発明の第４の実施の形態に係る音響調整装置４００の構成部うち、本発明の第１の実施の形態に係る音響調整装置１００と同一の機能を有するものには同一の番号を付し、その説明を省略する。
【００４１】
解除スイッチ４０８は、所定の信号を制御部４０３に出力するようになっている。
制御部４０３は、本発明の第１の実施の形態に係るの音響調整装置１００を構成する制御部１０３の機能に加え、解除スイッチ４０８から出力された信号を検知し、この信号が検知された場合に操作子駆動部１０４の制御を解除する機能を有するものである。
【００４２】
以下、本発明の第４の実施の形態に係る音響調整装置４００の動作について説明する。
フェーダ１０１の上限操作子位置を上限メモリ１０６に記憶させる際の動作は、本発明の第１の実施の形態に示したものと同様であるため、その説明を省略する。ここでは、音響調整装置４００の通常使用時の動作について説明する。
【００４３】
まず、フェーダ１０１の操作子位置が操作子位置検出部１０２によって検出され、制御部４０３を介して操作子位置メモリ１０５に記憶される。操作子位置メモリ１０５に記憶された操作子位置は、上限メモリ１０６に記憶された上限操作子位置と比較され、操作子位置メモリ１０５に記憶された操作子位置が上限メモリ１０６に記憶された上限操作子位置を超えたとき、制御部４０３から操作子駆動部１０４に制御信号が出力され、操作子駆動部１０４を介してフェーダ１０１の操作子位置が下げられる。操作子位置を下げる動作が継続し、操作子位置が上限操作子位置以下になったら操作子位置を下げる動作は終了する。以上の動作（以下、単に「上限制御動作」という。）が実行されている場合において、解除スイッチ４０８が押されて制御部４０３に信号が出力されると、制御部４０３による上限制御動作は解除される。
【００４４】
以上説明したように、本発明の第４の実施の形態に係る音響調整装置は、本発明の第１の実施の形態の効果に加え、解除スイッチを設けて上限制御動作を解除できるため、例えば緊急を要する場合等において、操作者が手動で操作できるようになる。
【００４５】
（第５の実施の形態）
図５は、本発明の第５の実施の形態に係る音響調整装置のブロック構成を示す図である。図５において、音響調整装置５００は、本発明の第１の実施の形態に係る音響調整装置１００に、外部制御部５０８を付加した構成となっている。本発明の第５の実施の形態に係る音響調整装置５００の構成部うち、本発明の第１の実施の形態に係る音響調整装置１００と同一の機能を有するものには同一の番号を付し、その説明を省略する。
【００４６】
外部制御部５０８は、所定のデジタル信号を制御部５０３に出力するようになっている。このデジタル信号は上限メモリ１０６に記憶された上限操作子位置に代わる情報を含む信号である。
制御部５０３は、本発明の第１の実施の形態に係るの音響調整装置１００を構成する制御部１０３の機能に加え、外部制御部５０８から出力されたデジタル信号に応じた上限操作子位置を上限メモリ１０６に記憶させる機能を有するものである。
【００４７】
以下、本発明の第５の実施の形態に係る音響調整装置５００の動作について説明する。
はじめに、フェーダ１０１の上限操作子位置を上限メモリ１０６に記憶させる際の動作について説明する。まず、操作者が上限記憶スイッチ１０７を押下することにより、上限記憶スイッチ１０７からスイッチオン信号が制御部５０３に出力される。制御部５０３がスイッチオン信号を検知する都度、操作子位置検出部１０２から出力された信号に基づいて操作子位置が検出され、操作子位置が上限メモリ１０６に記憶させる。以上の動作において、外部制御部５０８から上記のデジタル信号が出力された場合、外部制御部５０８から出力されたデジタル信号に応じた上限操作子位置が上限メモリ１０６に記憶される。
【００４８】
次に、音響調整装置５００の通常使用時の動作について説明する。
フェーダ１０１の操作子位置が操作子位置検出部１０２によって検出され、制御部５０３を介して操作子位置メモリ１０５に記憶される。操作子位置メモリ１０５に記憶された操作子位置は、上限メモリ１０６に記憶された上限操作子位置と比較され、操作子位置メモリ１０５に記憶された操作子位置が上限メモリ１０６に記憶された上限操作子位置を超えたとき、制御部５０３から操作子駆動部１０４に制御信号が出力され、操作子駆動部１０４を介してフェーダ１０１の操作子位置が下げられる。操作子位置を下げる動作が継続し、操作子位置が上限操作子位置以下になったら操作子位置を下げる動作は終了する。
【００４９】
以上説明したように、本発明の第５の実施の形態に係る音響調整装置は、本発明の第１の実施の形態の効果に加え、外部制御部を設けて上限操作子位置を外部から設定できるため、遠隔操作を可能とし、音響調整装置から離れた位置で拡声音を確認しながら、信号レベルの上限値を設定することができる。
【００５０】
【発明の効果】
以上説明したように、本発明は、簡易に適切な拡声利得が得られ、かつ信号レベル調整の際の操作性を向上することが可能な音響調整装置を実現することができる。
【図面の簡単な説明】
【図１】本発明の第１の実施の形態に係る音響調整装置のブロック構成を示す図
【図２】本発明の第２の実施の形態に係る音響調整装置のブロック構成を示す図
【図３】本発明の第３の実施の形態に係る音響調整装置のブロック構成を示す図
【図４】本発明の第４の実施の形態に係る音響調整装置のブロック構成を示す図
【図５】本発明の第５の実施の形態に係る音響調整装置のブロック構成を示す図
【図６】従来の音響調整装置のブロック構成を示す図
【図７】従来の音響調整装置のブロック構成を示す図
【符号の説明】
１１  音量調整器
１２  固定装置
２１  フェーダ
２２  ＡＤ変換器
２３  制御回路
２４  モータドライバ
２５  フェーダ位置メモリ
１００、２００、３００、４００、５００  音響調整装置
１０１  フェーダ
１０２  操作子位置検出部
１０３、２０３、３０３、４０３、５０３  制御部
１０４  操作子駆動部
１０５  操作子位置メモリ
１０６、２０６、２０８  上限メモリ
１０７  上限記憶スイッチ
２０９  選択スイッチ
３０８  警告表示部
４０８  解除スイッチ
５０８  外部制御部
【図１】
2004312539.tif 000003
【図２】
2004312539.tif 000004
【図３】
2004312539.tif 000005
【図４】
2004312539.tif 000006
【図５】
2004312539.tif 000007
【図６】
2004312539.tif 000008
【図７】
2004312539.tif 000009